(57)【要約】【課題】本発明は、軸方向に沿う複数の溝が外周に形成され加熱される１つの回転体のみで媒体を加熱する加熱装置に比べて、画像の加熱斑を目立ち難くすることができる加熱装置の提供を目的とする。【解決手段】加熱装置は、軸方向に沿う複数の第１溝が外周に形成され、表面に像が形成されて搬送される媒体を裏面側から外周に巻き掛け、回転しながら前記媒体を加熱する第１回転体と、前記複数の第１溝の位相と異なる位相を有する複数の溝であって軸方向に沿う複数の第２溝が外周に形成され、前記第１回転体で加熱された前記媒体を裏面側から外周に巻き掛け、回転しながら前記媒体を加熱する第２回転体と、を備えている。【選択図】図１
2016173408.tif 000002
【特許請求の範囲】
【請求項１】
軸方向に沿う複数の第１溝が外周に形成され、表面に像が形成されて搬送される媒体を裏面側から外周に巻き掛け、回転しながら前記媒体を加熱する第１回転体と、
前記複数の第１溝の位相と異なる位相を有する複数の溝であって軸方向に沿う複数の第２溝が外周に形成され、前記第１回転体で加熱された前記媒体を裏面側から外周に巻き掛け、回転しながら前記媒体を加熱する第２回転体と、
を備えた加熱装置。
【請求項２】
前記第２回転体における媒体の巻き掛け長さは、前記第１回転体における媒体の巻き掛け長さよりも長い、
請求項１記載の加熱装置。
【請求項３】
前記第２回転体で加熱された前記媒体を表面側から外周に巻き掛け、回転しながら前記媒体を折り返す第３回転体、
を備えた請求項１又は２記載の加熱装置。
【請求項４】
請求項１〜３の何れか１項記載の加熱装置と、
前記加熱装置で加熱される像を媒体に形成する形成部と、
を備えた画像形成装置。
【発明の詳細な説明】
【技術分野】
【０００１】
本発明は、加熱装置及び画像形成装置に関する。
【背景技術】
【０００２】
特許文献１には、インクジェットヘッドと、インクジェットに対向するプラテンと、記録媒体を搬送方向に案内するガイドと、プラテン及びガイドを加熱するヒーターと、を具備する記録装置が記載されている。
【先行技術文献】
【特許文献】
【０００３】
【特許文献１】特開２０１４−１６２１０８号公報
【発明の概要】
【発明が解決しようとする課題】
【０００４】
軸方向に沿う複数の溝が外周に形成され加熱される回転体に、インクによる画像が形成された媒体を巻き掛けて、媒体を加熱する加熱装置が知られている。この加熱装置により媒体を加熱すると、媒体における溝に対向する部分と回転体の外周に接触する部分とでは与えられる熱に差が生じる。
【０００５】
本発明は、軸方向に沿う複数の溝が外周に形成され加熱される１つの回転体のみで媒体を加熱する加熱装置に比べて、画像の加熱斑を目立ち難くすることができる加熱装置の提供を目的とする。
【課題を解決するための手段】
【０００６】
請求項１の加熱装置は、軸方向に沿う複数の第１溝が外周に形成され、表面に像が形成されて搬送される媒体を裏面側から外周に巻き掛け、回転しながら前記媒体を加熱する第１回転体と、前記複数の第１溝の位相と異なる位相を有する複数の溝であって軸方向に沿う複数の第２溝が外周に形成され、前記第１回転体で加熱された前記媒体を裏面側から外周に巻き掛け、回転しながら前記媒体を加熱する第２回転体と、を備えている。
【０００７】
請求項２の加熱装置は、請求項１記載の加熱装置であって、前記第２回転体における媒体の巻き掛け長さは、前記第１回転体における媒体の巻き掛け長さよりも長い。
【０００８】
請求項３の加熱装置は、請求項１又は２記載の加熱装置であって、前記第２回転体で加熱された前記媒体を表面側から外周に巻き掛け、回転しながら前記媒体を折り返す第３回転体を備えている。  
【０００９】
請求項４の画像形成装置は、請求項１〜３の何れか１項記載の加熱装置と、前記加熱装置で加熱される像を媒体に形成する形成部と、を備えている。
【発明の効果】
【００１０】
請求項１の加熱装置によれば、軸方向に沿う複数の溝が外周に形成されている１つの回転体のみで媒体を加熱する加熱装置に比べて、画像の加熱斑を目立ち難くすることができる。
【００１１】
請求項２の加熱装置によれば、最初に媒体を加熱する第１回転体における媒体の巻き掛け長さが次に媒体を加熱する第２回転体における媒体の巻き掛け長さよりも長い加熱装置に比べて、画像の加熱斑を目立ち難くすることができる。
【００１２】
請求項３の加熱装置によれば、軸方向に沿う複数の溝が外周に形成されている１つの回転体のみで媒体を加熱する加熱装置に比べて、第３回転体の外周に巻き掛けられた媒体から画像が剥れ難い。
【００１３】
請求項４の画像形成装置によれば、軸方向に沿う複数の溝が外周に形成されている１つの回転体のみで媒体を加熱する加熱装置を備えた画像形成装置に比べて、画像の加熱斑に起因する画像形成不良が抑制される。
【図面の簡単な説明】
【００１４】
【図１】本実施形態の画像形成装置の概略図（正面図）である。
【図２】本実施形態の加熱装置を構成する第１ドラム及び第２ドラムの一部を示す拡大断面図である。
【図３】本実施形態の第１ドラム及び第２ドラムにおける、直径、媒体の巻き掛け角及び溝の条件をまとめた表である。
【図４】本実施形態の第１ドラム及び第２ドラムにおける媒体が巻き掛けられている部分の拡大断面図を示す。
【図５】本実施形態の第１ドラムと第１ドラムに巻き掛けられている媒体を示す模式図である。
【図６】本実施形態の第１ドラム及び第２ドラムに巻き掛けられる媒体のタイミングチャートを示す模式図である。
【図７】本実施形態の加熱装置で加熱される媒体の各部分における温度の変化を示すグラフである。
【図８】第１比較形態の画像形成装置の概略図（正面図）である。
【図９】第１比較形態のドラムにおける、直径、媒体の巻き掛け角及び溝の条件をまとめた表である。
【図１０】比較例の加熱装置（第１比較形態の画像形成装置）における水分蒸発量のシミュレーション結果を示すグラフである。
【図１１】実施例の加熱装置（本実施形態の画像形成装置）における水分蒸発量のシミュレーション結果を示すグラフである。
【図１２】実施例の画像形成装置（本実施形態の画像形成装置）での画像剥れの評価と、比較例の画像形成装置（第１比較形態の画像形成装置）での画像剥れの評価との実験結果を示す表である。
【図１３】本実施形態の別形態の第１ドラム及び第２ドラムに巻き掛けられる媒体のタイミングチャートを示す模式図である。
【発明を実施するための形態】
【００１５】
≪概要≫
以下、本実施形態及び実施例について説明する。まず、本実施形態における、画像形成装置１０の構成、画像形成装置１０による画像形成動作及び作用について説明する。次いで、実施例について説明する。
【００１６】
以下の説明では、図面に矢印Ｘ及び矢印−Ｘで示す方向を装置奥行き方向、図面に矢印Ｙ及び矢印−Ｙで示す方向を装置幅方向とする。また、装置奥行き方向及び装置幅方向のそれぞれに直交する方向（矢印Ｚ及び矢印−Ｚ方向）を装置高さ方向とする。
【００１７】
≪画像形成装置の全体構成≫
画像形成装置１０は、搬送される媒体Ｐにインクによる像（以下、インク像Ｇ１という。図１参照）を形成し、更にインク像Ｇ１が形成された媒体Ｐを加熱して、媒体Ｐに画像Ｇ２（図１参照）を形成する機能を有するインクジェット方式の装置とされている。ここで、インク像Ｇ１は、像の一例である。なお、本実施形態の媒体Ｐは、連帳紙とされている。
【００１８】
画像形成装置１０は、図１に示されるように、搬送機構２０と、吐出部３０と、加熱部４０と、制御部５０と、を含んで構成されている。
【００１９】
＜搬送機構＞
搬送機構２０は、媒体Ｐを搬送経路に沿って送り出し、媒体Ｐを搬送経路に沿って搬送し、画像Ｇ２が形成された媒体Ｐを巻き取る機能を有する。搬送機構２０は、支持部２２と、複数の搬送ロール２４と、巻取り部２６と、を含んで構成されている。支持部２２は、駆動源（図示省略）により軸周りに回転可能な円柱とされており、画像Ｇ２が形成される前のロール状の媒体Ｐをその軸中心の貫通穴に嵌め込まれた状態で支持しつつ、軸周りに回転しながら媒体Ｐを搬送経路に送り出すようになっている。複数の搬送ロール２４は、それぞれ軸周りに回転可能とされ、媒体Ｐを搬送経路に沿って搬送させるようになっている。巻取り部２６は、駆動源（図示省略）により軸周りに回転可能な円柱とされており、軸周りに回転しながら画像Ｇ２が形成された媒体Ｐを巻き取るようになっている。なお、支持部２２、複数の搬送ロール２４及び巻取り部２６は、それぞれの軸方向が装置奥行き方向に沿った状態で配置されている。また、搬送機構２０は、媒体Ｐを搬送速度Ｖ（一例として１００ｍ／ｍｉｎ）で搬送するようになっている。
【００２０】
＜吐出部＞
吐出部３０は、搬送機構２０により搬送される媒体Ｐに複数色のインクを吐出して、後述する加熱部４０で加熱される媒体Ｐにインク像Ｇ１を形成する機能を有する。ここで、吐出部３０は、形成部の一例である。
【００２１】
吐出部３０は、それぞれ異なる色（一例として、Ｙ（イエロー）、Ｍ（マゼンタ）、Ｃ（シアン）及びＫ（ブラック））のインク像Ｇ１を形成する単色吐出部３０Ｙ、３０Ｍ、３０Ｃ、３０Ｋで構成されている。単色吐出部３０Ｙ、３０Ｍ、３０Ｃ、３０Ｋは、それぞれが吐出するインクの色以外、同様の構成とされている。なお、単色吐出部３０Ｙ、３０Ｍ、３０Ｃ、３０Ｋは、いわゆるラインヘッド（インクを吐出する複数のノズルが、搬送される媒体Ｐの幅方向に沿って配列されているヘッドのことをいう。）とされている。
【００２２】
また、単色吐出部３０Ｙ、３０Ｍ、３０Ｃ、３０Ｋが吐出するインクは、一例として、水を含む溶媒と、それぞれのインクの色を発色する顔料と、を含んで構成されている。
【００２３】
＜加熱部＞      
加熱部４０は、吐出部３０によりインク像Ｇ１が形成された媒体Ｐを加熱する機能を有する。具体的に、加熱部４０は、インク像Ｇ１が形成された媒体Ｐを加熱することで、インク像Ｇ１を構成するインクの溶媒（主に水）を蒸発させるようになっている。ここで、加熱部４０は、加熱装置の一例である。加熱部４０については、本実施形態の要部であることから後述する。
【００２４】
なお、加熱部４０が媒体Ｐを加熱して溶媒を蒸発させると、媒体Ｐには、主に顔料で構成される像が残る。すなわち、本実施形態の画像形成装置１０が媒体Ｐに形成する画像Ｇ２とは、溶媒が蒸発し主に顔料で構成される像のことを意味する。
【００２５】
＜制御部＞
制御部５０は、画像形成装置１０を構成する制御部５０以外の各部を制御する機能を有する。
【００２６】
≪要部（加熱部）≫
次に、加熱部４０の構成について図面を参照しつつ説明する。
【００２７】
加熱部４０は、図１に示されるように、第１加熱部６０と、第２加熱部７０と、反転ロール８０と、チェーンＣＮと、温度計ＴＭと、を含んで構成されている。
【００２８】
＜第１加熱部＞
第１加熱部６０は、図１に示されるように、第１ドラム６２と、ヒーター６４と、を含んで構成されている。ここで、第１ドラム６２は、第１回転体の一例である。
【００２９】
第１ドラム６２は、吐出部３０によりインク像Ｇ１が形成されて搬送される媒体Ｐを外周に巻き掛け、軸周りに回転しながら媒体Ｐを加熱する機能を有する。なお、第１ドラム６２が媒体Ｐを加熱する際、第１ドラム６２の外周には、媒体Ｐにおけるインク像Ｇ１が形成された側の面（表面）と反対側の面（裏面）が接触するようになっている。
【００３０】
第１ドラム６２は、円筒状とされている。第１ドラム６２は、その軸方向が装置奥行き方向に沿った状態で配置されている。第１ドラム６２の軸方向両端には、それぞれ中心に貫通穴が形成されたフランジ（図示省略）が固定されている。２枚のフランジの貫通穴には、回転軸６２Ａが固定されている。回転軸６２Ａは、後述するチェーンＣＮにより駆動力を受けて軸周りに回転するようになっている。そして、チェーンＣＮにより回転軸６２Ａが回転されると、第１ドラム６２は、媒体Ｐの搬送速度Ｖと同等の周速で回転するようになっている。なお、第１ドラム６２の直径は、一例として１００ｍｍとされている。
【００３１】
第１ドラム６２の外周には、図２、図４及び図５に示されるように、軸方向に沿う複数の溝Ｄ１が形成されている。ここで、溝Ｄ１は、第１溝の一例である。第１ドラム６２は、媒体Ｐを搬送する際、外周と媒体Ｐとの間の空気を各溝Ｄ１を介して逃がすことで媒体Ｐの密着性を向上させ、媒体Ｐの滑りを抑制するようになっている。また、第１ドラム６２の周方向における媒体Ｐが巻き掛けられる部分（以下、第１部分６０Ａという。）の角度（巻き掛け角）は、一例として６０°とされている（図３参照）。
【００３２】
各溝Ｄ１は、一例として、深さＤｔが１ｍｍ、第１ドラム６２の周方向の幅Ｗｔが１ｍｍ、ピッチＰｔが３０ｍｍとされている（図２及び図３参照）。また、各溝Ｄ１は、図６に示されるように、第１ドラム６２の軸方向の一端側から他端側に亘って形成されている、そして、各溝Ｄ１の両端側の部分は、それぞれ第１ドラム６２における第１部分６０Ａの両端よりも第１ドラム６２の軸方向両端側にはみ出している。
【００３３】
ヒーター６４は、第１ドラム６２を加熱する機能を有する。ヒーター６４は、第１ドラム６２内に配置されている。そして、ヒーター６４は、第１ドラム６２の内周であって少なくとも第１部分６０Ａに赤外線を照射して第１ドラム６２を加熱するようになっている。その結果、ヒーター６４により加熱された第１ドラム６２は、媒体Ｐを加熱するようになっている。
【００３４】
＜第２加熱部＞
第２加熱部７０は、図１に示されるように、第１加熱部６０に対して、媒体Ｐの搬送経路の下流側に配置されている。第２加熱部７０は、第２ドラム７２と、ヒーター７４と、駆動源（図示省略）と、を含んで構成されている。ここで、第２ドラム７２は、第２回転体の一例である。
【００３５】
第２ドラム７２は、第１加熱部６０（第１ドラム６２）で加熱されて搬送される媒体Ｐを外周に巻き掛け、軸周りに回転しながら媒体Ｐを加熱する機能を有する。なお、第２ドラム７２が媒体Ｐを加熱する際、第２ドラム７２の外周には、媒体Ｐの裏面が接触するようになっている。
【００３６】
第２ドラム７２は、円筒状とされている。第２ドラム７２は、その軸方向が装置奥行き方向に沿った状態で配置されている。第２ドラム７２の軸方向両端には、それぞれ中心に貫通穴が形成されたフランジ（図示省略）が固定されている。２枚のフランジの貫通穴には、回転軸７２Ａが固定されている。回転軸７２Ａは、駆動源により駆動力を受けて軸周りに回転するようになっている。そして、駆動源により回転軸７２Ａが回転されると、第２ドラム７２は、媒体Ｐの搬送速度Ｖと同等の周速で回転するようになっている。なお、第２ドラム７２の直径は、一例として６３０ｍｍとされている。
【００３７】
第２ドラム７２の外周には、図２、図４及び図５に示されるように、軸方向に沿う複数の溝Ｄ２が形成されている。ここで、溝Ｄ２は、第２溝の一例である。第２ドラム７２は、媒体Ｐを搬送する際、外周と媒体Ｐとの間の空気を各溝Ｄ１を介して逃がすことで媒体Ｐの密着性を向上させ、媒体Ｐの滑りを抑制するようになっている。また、第２ドラム７２の周方向における媒体Ｐが巻き掛けられる部分（以下、第２部分７０Ａという。）の角度（巻き掛け角）は、一例として３００°とされている（図３参照）。すなわち、第２ドラム７２の周方向における媒体Ｐの巻き掛け長さ（５２５ｍｍ＝６３０ｍｍ×３００°／３６０°）は、第１ドラム６２の周方向における媒体Ｐの巻き掛け長さ（約１６．７ｍｍ＝１００ｍ×６０°／３６０°）よりも長い。
【００３８】
各溝Ｄ２は、一例として、深さＤｔが１ｍｍ、第２ドラム７２の周方向の幅Ｗｔが１ｍｍ、ピッチＰｔが５０ｍｍとされている（図２及び図３参照）。また、各溝Ｄ２は、図５に示されるように、第２ドラム７２の軸方向の一端側から他端側に亘って形成されている、そして、各溝Ｄ２の両端側の部分は、それぞれ第２ドラム７２における第２部分７０Ａの両端よりも第２ドラム７２の軸方向両端側にはみ出している。
【００３９】
また、本実施形態の第２ドラム７２の複数の溝Ｄ２は、第１ドラム６２の複数の溝Ｄ１の位相と異なる位相を有する。ここで、異なる位相を有することの技術的意味について、図４及び図５を参照しつつ説明する。
【００４０】
第１ドラム６２の各溝Ｄ１のうち任意の溝Ｄ１を溝Ｄ１ａとし、溝Ｄ１ａを基準として第１ドラム６２の回転方向上流側に形成されている各溝Ｄ１を順に溝Ｄ１ｂ、Ｄ１ｃ、Ｄ１ｄ、・・・とする。図４の溝Ｄ１ａの位置は、第１部分６０Ａのうち媒体Ｐの搬送方向の下流側の端Ｅ１とする。図４の溝Ｄ１ａの位置に第１ドラム６２の回転に伴って溝Ｄ１ｂが到達するまでの時間Ｔ１は、複数の溝Ｄ１のピッチＰｔ（３０ｍｍ）を第１ドラム６２の周速（１００ｍ／ｍｉｎ）で除した値となる。また、図４の溝Ｄ１ａに対向する媒体Ｐの部分が、第２部分７０Ａのうち媒体Ｐの搬送方向上流側の端Ｅ２に到達するまでの時間Ｔ２は、端Ｅ１から端Ｅ２までの媒体Ｐの搬送距離Ｌを媒体Ｐの搬送速度Ｖで除した値となる。
【００４１】
また、第２ドラム７２の各溝Ｄ２のうち任意の溝Ｄ２を溝Ｄ２ａとし、溝Ｄ２ａを基準として第２ドラム７２の回転方向上流側に形成されている各溝Ｄ２を順に溝Ｄ２ｂ、Ｄ２ｃ、Ｄ２ｄ、・・・とする。図４の溝Ｄ２ａの位置に第２ドラム７２の回転に伴って溝Ｄ２ｂが到達するまでの時間Ｔ３は、複数の溝Ｄ２のピッチＰｔ（５０ｍｍ）を第２ドラム７２の周速（１００ｍ／ｍｉｎ）で除した値となる。すなわち、時間Ｔ３は、時間Ｔ１よりも長い。なお、図５は位相を説明するための模式図であることから、図５の時間Ｔ２の長さは、時間Ｔ１及び時間Ｔ３の長さを基準にすると、実際の時間の長さよりも短く図示している（後述する図１３についても同様）。
【００４２】
そして、本実施形態の加熱部４０では、図５のタイミングチャートに示されるように、媒体Ｐにおける第１ドラム６２の各溝Ｄ１に対向する部分が第２ドラム７２の端Ｅ２に到達すると、当該部分は、第２ドラム７２の各溝Ｄ２に対向せずに第２ドラム７２の外周に接触するようになっている。別の見方をすれば、軸周りに回転する第１ドラム６２の各溝Ｄ１に対向していた媒体Ｐの部分が搬送機構２０に搬送されて第２ドラム７２の端Ｅ２に到着するタイミングにおいて、軸周りに回転する第２ドラム７２の各溝Ｄ２は、端Ｅ２に位置しないようになっている。第２ドラム７２の複数の溝Ｄ２が第１ドラム６２の複数の溝Ｄ１の位相と異なる位相を有することの技術的意味は、以上のとおりである。
【００４３】
ヒーター７４は、第２ドラム７２を加熱する機能を有する。ヒーター７４は、第２ドラム７２内に配置されている。そして、ヒーター７４は、第２ドラム７２の内周であって第２部分７０Ａに赤外線を照射して第２ドラム７２を加熱するようになっている。その結果、ヒーター７４により加熱された第２ドラム７２は、媒体Ｐを加熱するようになっている。
【００４４】
＜反転ロール＞
反転ロール８０は、図１に示されるように、第２加熱部７０に対して、媒体Ｐの搬送経路の下流側に配置されている。反転ロール８０は、第２加熱部７０（第２ドラム７２）で加熱され、搬送される媒体Ｐを外周に巻き掛け、軸周りに回転して媒体Ｐを折り返す機能を有する。なお、反転ロール８０が媒体Ｐを搬送する際、反転ロール８０の外周には、媒体Ｐの表面が接触するようになっている。ここで、反転ロール８０は、第３回転体の一例である。また、折り返すとは、媒体Ｐの搬送方向を逆方向に変更することを意味する。
【００４５】
＜チェーン＞
チェーンＣＮは、第２ドラム７２を軸周りに回転させる駆動源の駆動力を第１ドラム６２に伝達する機能を有する。チェーンＣＮは、第１ドラム６２の回転軸６２Ａと第２ドラム７２の回転軸７２Ａとにそれぞれ固定されているスプロケット（図示省略）に巻き掛けられている。そして、駆動源が回転軸７２Ａを回転させることに伴い、チェーンＣＮは周回しながら回転軸６２Ａを回転させるようになっている。なお、回転軸６２Ａのスプロケットの直径と回転軸７２Ａのスプロケットの直径との比は、第１ドラム６２の直径と第２ドラム７２の直径との比とされている。そのため、前述のとおり、本実施形態の第１ドラム６２及び第２ドラム７２は、同等の周速で回転するように設定されている。
【００４６】
＜温度計＞
温度計ＴＭは、加熱部４０で加熱された媒体Ｐの温度を測定する機能を有する。本実施形態の温度計ＴＭは、一例として放射温度計とされており、第２ドラム７２から離れて反転ロール８０に巻き掛けられる前の媒体Ｐの表面の温度を測定可能とされている。なお、温度計ＴＭは、画像形成動作で使用されることはないが、後述する画像形成装置１０の初期設定の際に使用される。
【００４７】
＜補足＞
［補足１］
第１部分６０Ａは、第１ドラム６２の軸周りの回転に伴い連続的に入れ替わる。しかしながら、本実施形態の第１ドラム６２は、第１部分６０Ａが入れ替わったとしても、常に第１部分６０Ａに複数の溝Ｄ１のうち何れかの溝Ｄ１を含んだ状態で、媒体Ｐを搬送するようになっている。また、本実施形態の第２ドラム７２は、第２部分７０Ａが入れ替わったとしても、常に第２部分７０Ａに複数の溝Ｄ２のうち何れかの溝Ｄ２を含んだ状態で、媒体Ｐを搬送するようになっている。
【００４８】
［補足２］
本実施形態の加熱部４０は、第２ドラム７２から離れて反転ロール８０に巻き掛けられる前の媒体Ｐ全体の温度が目標温度（一例として約１００℃、図７参照）となるように、インク像Ｇ１が形成された媒体Ｐを加熱するように設定されている。
【００４９】
以上が、本実施形態の画像形成装置１０の構成についての説明である。
【００５０】
≪画像形成装置による画像形成動作≫
次に、本実施形態の画像形成装置１０による画像形成動作について、図１を参照しつつ説明する。
【００５１】
外部装置（図示省略）からジョブデータを受け取った制御部５０は、制御部５０以外の各部である搬送機構２０、吐出部３０及び加熱部４０を作動させる。なお、ジョブデータには、吐出部３０が形成するインク像Ｇ１の画像データ等が含まれている。
【００５２】
そして、制御部５０は、搬送機構２０により媒体Ｐを搬送経路に沿って搬送速度Ｖで搬送させる。これに伴い、制御部５０は、第１加熱部６０及び第２加熱部７０の各駆動源を駆動させ、第１ドラム６２及び第２ドラム７２をそれぞれの軸周りに回転させる。次いで、制御部５０は、吐出部３０のうちインク像Ｇ１の形成が要求されている単色吐出部に各色のインクを吐出させ、搬送機構２０により搬送されている媒体Ｐに各色のインク像Ｇ１を形成させる。次いで、制御部５０は、媒体Ｐにおけるインク像Ｇ１が形成された部分が第１部分６０Ａを通過している期間中、第１加熱部６０のヒーター６４に赤外線を照射させて第１ドラム６２を加熱させる。また、制御部５０は、媒体Ｐにおける第１ドラム６２により加熱された部分が第２ドラム７２における第２部分７０Ａを通過している期間中、第２加熱部７０のヒーター７４に赤外線を照射させて第２ドラム７２を加熱させる。
【００５３】
以上のようにして、搬送機構２０により搬送される媒体Ｐは、吐出部３０により各色のインク像Ｇ１が形成され、加熱部４０の第１ドラム６２及び第２ドラム７２により加熱される。その結果、第１ドラム６２及び第２ドラム７２に巻き掛けられて加熱される媒体Ｐのインク像Ｇ１からインクの溶媒が蒸発されて、媒体Ｐに画像Ｇ２が形成される。そして、画像Ｇ２が形成された媒体Ｐは、反転ロール８０により折り返され、更に搬送機構２０により搬送経路に沿って搬送され、巻取り部２６で巻き取られて、画像形成装置１０による画像形成動作が終了する。
【００５４】
なお、本実施形態では、画像形成装置１０の設置時に、後述する初期設定が行われる。すなわち、前述の画像形成装置１０による画像形成動作は、初期設定がされた画像形成装置１０により行われる。
【００５５】
前述のとおり、本実施形態の加熱部４０は、第２ドラム７２の複数の溝Ｄ２が第１ドラム６２の複数の溝Ｄ１の位相と異なる位相を有するように構成されている（図５参照）。
そのため、本実施形態の画像形成装置１０は、軸周りに回転する第１ドラム６２の各溝Ｄ１に対向していた媒体Ｐの部分が搬送機構２０に搬送されて第２ドラム７２の端Ｅ２に到着するタイミングにおいて、軸周りに回転する第２ドラム７２の各溝Ｄ２は、端Ｅ２に位置しないように設定されている。
【００５６】
以下、初期設定について説明する。まず、作業者は、画像形成装置１０に、搬送機構２０により媒体Ｐを搬送速度Ｖで搬送させ、第１加熱部６０及び第２加熱部７０を作動させ、温度計ＴＭにより第２ドラム７２から離れて反転ロール８０に巻き掛けられる前の媒体Ｐの表面の温度を測定させる（以下、初期設定時の調整動作という。）。なお、作業者は、初期設定時の調整動作において、画像形成装置１０に、吐出部３０によるインク像Ｇ１の形成を行わせずに、定められた期間（一例として０．５ｍｉｎ）媒体Ｐを搬送させる。
【００５７】
定められた期間に測定した温度計ＴＭの測定値が目標温度以上であれば、作業者は、第２ドラム７２の複数の溝Ｄ２が第１ドラム６２の複数の溝Ｄ１の位相と異なる位相を有する状態（すなわち、良好な状態）と判断し、初期設定を終了する。これに対して、定められた期間で測定した温度計ＴＭの測定値が少なくとも一度でも目標温度未満である場合、作業者は、第２ドラム７２の複数の溝Ｄ２が第１ドラム６２の複数の溝Ｄ１の位相と同等の位相を有する状態（すわなち、良好でない状態）と判断する。ここで、初期設定時の調整動作において良好でない状態の場合、図７の点線（第１ドラム：溝、第２ドラム：溝）に示されるように、媒体Ｐにおける第１ドラム６２の溝Ｄ１に対向し、かつ、第２ドラム７２の溝Ｄ２に対向して加熱される部分は、第２ドラム７２から離れる際、目標温度まで加熱されない。良好でない状態と判断した場合、作業者は、第１ドラム６２の回転軸６２Ａと第２ドラム７２の回転軸７２Ａとを連結しているチェーンＣＮを外して、第１ドラム６２又は第２ドラム７２を軸周りに回転させて（ずらして）、再度回転軸６２Ａと回転軸７２ＡとをチェーンＣＮで連結する。そして、作業者は、再度初期設定時の調整動作を行い、良好な状態と判断したら初期設定を終了する。
【００５８】
以上が、本実施形態の画像形成装置１０の画像形成動作についての説明である。
【００５９】
≪作用≫
次に、本実施形態の加熱部４０及び画像形成装置１０の作用について、図面を参照しつつ説明する。
【００６０】
＜第１の作用＞
本実施形態の第１の作用について、本実施形態を以下に説明する第１比較形態と比較して行う。なお、第１比較形態において、本実施形態で用いた部品等を用いる場合、その部品の符号、名称等をそのまま用いるものとする。
【００６１】
本実施形態の画像形成装置１０に備えられている加熱用のドラムは２つ（第１ドラム６２及び第２ドラム７２）であるのに対し（図１参照）、第１比較形態の画像形成装置１０Ａに備えられている加熱用のドラムは、図８に示されるように、１つ（ドラム９２）である。
【００６２】
画像形成装置１０Ａは、図８に示されるように、吐出部３０によりインク像Ｇ１が形成された媒体Ｐを加熱する加熱部４０Ａを備えている。加熱部４０Ａは、ドラム９２と、ヒーター９４と、駆動源（図示省略）と、を含んで構成されている。ドラム９２は、吐出部３０によりインク像Ｇ１が形成された媒体Ｐを外周に巻き掛け、軸周りに回転して媒体Ｐを加熱する機能を有する。なお、ドラム９２は、第２ドラム７２との関係において、直径が異なる点以外は、第２ドラム７２と同等の構成とされている（図３及び図９参照）。すなわち、ドラム９２の外周には、複数の溝Ｄ２が形成されている。ドラム９２の周方向における媒体Ｐが巻き掛けられる部分（第３部分９０Ａという。）の角度（巻き掛け角）は、一例として２７０°とされている（図９参照）。ヒーター９４は、ドラム９２を加熱する機能を有し、ドラム９２内に配置されている。そして、ヒーター９４は、ドラム９２の内周であって第３部分９０Ａに赤外線を照射してドラム９２を加熱するようになっている。また、画像形成装置１０Ａの反転ロール８０は、加熱部４０Ａ（ドラム９２）に対して、媒体Ｐの搬送経路の下流側に配置されている。
【００６３】
第１比較形態の加熱部４０Ａは、これらの点以外は、本実施形態の加熱部４０と同等の構成とされている。また、第１比較形態の画像形成装置１０Ａは、加熱部４０に換えて加熱部４０Ａを備える点以外は、本実施形態の画像形成装置１０と同等の構成とされている。
【００６４】
第１比較形態の加熱部４０Ａを用いてインク像Ｇ１が形成された媒体Ｐの加熱が終了すると、媒体Ｐにおける溝Ｄ２に対向する部分と、媒体Ｐにおけるドラム９２の外周に接触する部分とでは、与えられる熱（熱量）に差が生じる。そのため、第１比較形態の加熱部４０Ａを用いてインク像Ｇ１が形成された媒体Ｐの加熱が終了すると、媒体Ｐにおける溝Ｄ２に対向する部分と、媒体Ｐにおけるドラム９２の外周に接触する部分とでの水分蒸発量が異なる。具体的には、媒体Ｐにおける溝Ｄ２に対向する部分に残る水分量は、媒体Ｐにおけるドラム９２の外周に接触する部分に残る水分量よりも多い。また、これに起因して、媒体Ｐにおける溝Ｄ２に対向する部分は、媒体Ｐにおけるドラム９２の外周に接触する部分に比べて、インク像Ｇ１を構成する顔料がドラム９２から離れた後に移動し易い（広がり易い）。その結果、第１比較形態の加熱部４０Ａを用いてインク像Ｇ１が形成された媒体Ｐの加熱を終了すると、媒体Ｐにおける溝Ｄ２に対向する部分と、媒体Ｐにおけるドラム９２の外周に接触する部分とで、画像Ｇ２の加熱斑が発生する虞がある。また、画像Ｇ２の加熱斑の発生に起因して、以下のような不具合が発生する虞がある。例えば、反転ロール８０では、媒体Ｐにおける溝Ｄ２に対向していた部分の画像Ｇ２が反転ロール８０に付着して剥れる（媒体Ｐからの画像Ｇ２の剥れの不具合）。巻取り部２６では、媒体Ｐの裏面に先に巻き取られた媒体Ｐの表面が接触してインクが付着する虞がある（媒体Ｐの裏面を汚す不具合）。
【００６５】
これに対して、本実施形態の加熱部４０は、第１比較形態の加熱部４０Ａと異なり、２つ（第１ドラム６２及び第２ドラム７２）の加熱用のドラムを備えている（図１参照）。また、前述のとおり、軸周りに回転する第１ドラム６２の各溝Ｄ１に対向していた媒体Ｐの部分が搬送機構２０に搬送されて第２ドラム７２の端Ｅ２に到着するタイミングにおいて、軸周りに回転する第２ドラム７２の各溝Ｄ２は、端Ｅ２に位置しないように設定されている。そのため、本実施形態の加熱部４０によれば、搬送機構２０により搬送される媒体Ｐにおける第１ドラム６２の溝Ｄ１に対向する部分は、第２ドラム７２の外周に巻き掛けられて加熱される。また、媒体Ｐにおける第２ドラム７２の溝Ｄ２に対向する部分は、第１ドラム６２の外周に巻き掛けられて加熱される。
【００６６】
したがって、本実施形態の加熱部４０によれば、軸方向に沿う複数の溝が外周に形成され加熱される１つのドラムのみで媒体Ｐを加熱する加熱部に比べて、画像Ｇ２の加熱斑を目立ち難くすることができる。また、本実施形態の加熱部４０によれば、軸方向に沿う複数の溝が外周に形成され加熱される１つのドラムのみで媒体Ｐを加熱する加熱部に比べて、反転ロール８０の外周に巻き掛けられた媒体Ｐから画像Ｇ２が剥れ難い。これらに伴い、本実施形態の画像形成装置１０によれば、軸方向に沿う複数の溝が外周に形成され加熱される１つのドラムのみで媒体Ｐを加熱する加熱部を備えた画像形成装置に比べて、画像Ｇ２の加熱斑に起因する画像形成不良が抑制される。
【００６７】
＜第２の作用＞
本実施形態の第２の作用について、本実施形態を以下に説明する第２比較形態と比較して行う。なお、第２比較形態において、本実施形態で用いた部品等を用いる場合、その部品の符号、名称等をそのまま用いるものとする。
【００６８】
本実施形態の画像形成装置１０では、第１加熱部６０に対し、第２加熱部７０は媒体Ｐの搬送経路の下流側に配置されているのに対し（図１参照）、第２比較形態の画像形成装置（図示省略）では、第１加熱部６０と第２加熱部７０との配置が逆とされている。
【００６９】
第２比較形態の加熱部（図示省略）は、これらの点以外は、本実施形態の加熱部４０と同等の構成とされている。また、第２比較形態の画像形成装置は、第１加熱部６０と第２加熱部７０との配置が逆とされている点以外は、本実施形態の画像形成装置１０と同等の構成とされている。なお、第２比較形態の加熱部及び画像形成装置は、前述の第１の作用を有し、本発明の技術的範囲に属する。
【００７０】
第２比較形態の場合、インク像Ｇ１が形成された媒体Ｐは、最初に第１ドラム６２の第１部分６０Ａの長さよりも第２部分７０Ａの長さが長い第２ドラム７２により巻き掛けられながら加熱される。第２ドラム７２で媒体Ｐが加熱されると、媒体Ｐにおける溝Ｄ２に対向する部分と、媒体Ｐにおける第２ドラム７２の外周に接触する部分とにおいて、与えられる熱に差が生じる。そして、媒体Ｐにおける溝Ｄ２に対向していた部分は、第１ドラム６２において溝Ｄ１に対向せず外周に接触して加熱されることになるが、第１ドラム６２による加熱では、媒体Ｐにおける第２ドラム７２の溝Ｄ２に対向していた部分を目標温度に加熱してから目標温度で加熱する時間が短い。そのため、第２比較形態の加熱部によれば、媒体Ｐにおける溝Ｄ２に対向する部分と、媒体Ｐにおける第２ドラム７２の外周に接触する部分とでの水分蒸発量に差が生じ易い。
【００７１】
これに対して、本実施形態の加熱部４０は、第１ドラム６２で媒体Ｐを加熱した後、第２ドラム７２で媒体Ｐを加熱する（図１参照）。第１ドラム６２で媒体Ｐが加熱されると、媒体Ｐにおける溝Ｄ１に対向する部分と、媒体Ｐにおける第１ドラム６２の外周に接触する部分とにおいて、与えられる熱に差が生じる。しかしながら、本実施形態の場合に最初に媒体Ｐを加熱する第１ドラム６２の第１部分６０Ａは、第２比較形態の場合に最初に媒体Ｐを加熱する第２ドラム７２の第２部分７０Ａに比べて、短い。そのため、本実施形態の加熱部４０は、第２比較形態の加熱部に比べて、最初の加熱用のドラムにより媒体Ｐの部分ごとに与えられる熱の差が小さい。また、本実施形態の場合に次に媒体Ｐを加熱する第２ドラム７２の第２部分７０Ａは、第２比較形態の場合に次に媒体Ｐを加熱する第１ドラム６２の第１部分６０Ａに比べて、長い。そのため、本実施形態の加熱部４０は、第２比較形態の加熱部に比べて、最初の加熱用のドラムによる媒体Ｐの部分ごとに与えられる熱の差を緩和し易い。
【００７２】
したがって、本実施形態の加熱部４０によれば、最初に媒体Ｐを加熱するドラムにおける媒体Ｐの巻き掛け長さが次に媒体Ｐを加熱するドラムにおける媒体Ｐの巻き掛け長さよりも長い加熱部に比べて、画像Ｇ２の加熱斑を目立ち難くすることができる。また、本実施形態の加熱部４０によれば、最初に媒体Ｐを加熱するドラムにおける媒体Ｐの巻き掛け長さが次に媒体Ｐを加熱するドラムにおける媒体Ｐの巻き掛け長さよりも長い加熱部に比べて、反転ロール８０の外周に巻き掛けられた媒体Ｐから最初の加熱用のドラムの溝に対向する部分の画像Ｇ２が剥れ難い。これらに伴い、本実施形態の画像形成装置１０によれば、最初に媒体Ｐを加熱するドラムにおける媒体Ｐの巻き掛け長さが次に媒体Ｐを加熱するドラムにおける媒体Ｐの巻き掛け長さよりも長い加熱部を備えた画像形成装置に比べて、画像Ｇ２の加熱斑に起因する画像形成不良が抑制される。
【００７３】
≪実施例≫
＜概要＞
以下、実施例の画像形成装置と、比較例の画像形成装置とを用いて、２つの実験（水分蒸発量のシミュレーション実験及び画像剥れの評価実験）を行った。実施例の画像形成装置は本実施形態の画像形成装置１０（図１参照）であり、比較例の画像形成装置は第１比較形態の画像形成装置１０Ａ（図８参照）である。以下、各実験について図面を参照しつつ説明する。
【００７４】
＜水分蒸発量のシミュレーション＞
［概要］
水分蒸発量のシミュレーションでは、各吐出部３０を用いてコート紙（媒体Ｐの一種）に６００×６００ｄｐｉの画像密度のベタのインク像Ｇ１を形成し、かつ、各加熱部４０、４０Ａにインク像Ｇ１が形成されたコート紙を加熱するモデルとした。そして、水分蒸発量のシミュレーションでは、各加熱部４０、４０Ａにおける加熱が終了した部分での単位面積当たりの水分蒸発量を計算した。なお、吐出部３０のノズルから吐出される１滴分のインクの量を３ｐｌ、１１ｐｌ及び２２ｐｌとした場合、６００×６００ｄｐｉの画像密度のベタ画像のインク像Ｇ１に対する単位面積当たりの水分蒸発量がそれぞれ１．５ｇ／ｍ２、５．０ｇ／ｍ２、１０．０ｇ／ｍ２以上であれば、媒体Ｐは良好に加熱されて、媒体Ｐに画像Ｇが形成される。なお、水分蒸発量のシミュレーションでは、SWORD iJET（登録商標） 4.3グロス（三菱製紙株式会社製）及びＯＫトップコート（王子製紙株式会社製）を、コート紙として用いた。そして、何れのコート紙を用いた場合でも、後述するシミュレーション結果は同等であった。
【００７５】
［結果］
〔比較例の場合〕
図１０は、比較例の場合のシミュレーション結果を示している。ドラム９２の外周に接触する部分は、単位面積当たりの水分蒸発量が１２ｇ／ｍ２であった。また、ドラム９２の溝Ｄ２に対向する部分は、単位面積当たりの水分蒸発量が１．５ｇ／ｍ２であった。
【００７６】
〔実施例の場合〕
図１１は、実施例の場合のシミュレーション結果を示している。実施例の場合、媒体Ｐは、第１ドラム６２及び第２ドラム７２の両方で外周に接触する部分と、第１ドラム６２及び第２ドラム７２の何れか一方で溝Ｄ１、Ｄ２に対向する部分とがあるが、何れの場合も、単位面積当たりの水分蒸発量は、１０ｇ／ｍ２を超えていた。
【００７７】
［考察］
以上の結果によれば、比較例の場合、１滴分のインクの量が３ｐｌの場合であれば、加熱斑が目立ち難い（加熱斑が許容される範囲となる）といえるが、１滴分のインクの量が１１ｐｌ及び２２ｐｌの場合であれば、加熱斑が目立ち易く（加熱斑が許容される範囲外となる）といえる。これに対して、実施例の場合、１滴分のインクの量が３ｐｌ、１１ｐｌ及び２２ｐｌの何れの場合であっても、加熱斑が目立ち難い（加熱斑が許容される範囲となる）といえる。すなわち、実施例は、前述の第１の作用を有するといえる。なお、実施例の加熱部によれば、比較例におけるドラム９２の溝Ｄ２に対向して搬送される部分に対して、約９倍以上の水分を蒸発させる能力を有する。
【００７８】
＜画像剥れの評価実験＞
［概要］
画像剥れの評価実験では、各吐出部３０を用いて、ノズルから吐出される１滴分のインクの量を３ｐｌ、４ｐｌ及び２６ｐｌとし、かつ、６００×６００ｄｐｉの画像密度のベタのインク像Ｇ１をコート紙（媒体Ｐの一例）に形成し、各反転ロール８０で折り返した後のコート紙から画像Ｇ２の剥れが発生しているか否かを目視で観察する評価実験を行った。なお、評価実験では、SWORD iJET（登録商標） 4.3グロス（三菱製紙株式会社製）及びＯＫトップコート（王子製紙株式会社製）を、コート紙として用いた。そして、何れのコート紙を用いた場合でも、後述する観察結果は同等であった。
【００７９】
［結果］
〔比較例の場合〕
比較例の場合、図１２に示されるように、１滴分のインクの量が３ｐｌの場合、画像Ｇ２の剥れは観察されなかった。これに対し、１滴分のインクの量が４ｐｌ及び２６ｐｌの場合、画像Ｇ２の剥れが観察された。
【００８０】
〔実施例の場合〕
実施例の場合、図１２に示されるように、１滴分のインクの量が３ｐｌ、４ｐｌ及び２６ｐｌの何れの場合であっても、画像Ｇ２の剥れは観察されなかった。
【００８１】
［考察］
以上の結果によれば、比較例の場合、水分蒸発量のシミュレーション実験の結果のとおり、１滴分のインクの量が３ｐｌであれば媒体Ｐは良好に加熱されており、画像Ｇ２の剥れが観察されなかったと推認される。これに対して、実施例の場合、１滴分のインクの量が３ｐｌ、４ｐｌ及び２６ｐｌの何れの場合であっても、媒体Ｐは良好に加熱されており、実施例の場合、画像Ｇ２の剥れが観察されなかったと推認される。すなわち、実施例は、前述の第１の作用を有するといえる。
【００８２】
以上のとおり、本発明を特定の実施形態について詳細に説明したが、本発明は前述した実施形態に限定されるものではなく、本発明の範囲内にて他の種々の実施形態が可能である。
【００８３】
例えば、本実施形態では、第１ドラム６２の回転軸６２Ａと、第２ドラム７２の回転軸７２Ａとは、チェーンＣＮにより連結されているとして説明した。しかしながら、回転軸７２Ａを回転させる駆動源の駆動力を回転軸６２Ａに伝達することができれば、チェーンＣＮを備えなくてもよい。例えば、回転軸７２Ａのトルクを歯車によって回転軸６２Ａに伝達するように構成してもよい。
【００８４】
また、本実施形態では、第１ドラム６２は駆動源により回転させ、第２ドラム７２はチェーンＣＮにより前記駆動源からの駆動力を伝達して回転させるとして説明した。しかしながら、第１ドラム６２及び第２ドラム７２が軸周りに回転して媒体Ｐを加熱することができれば、第１ドラム６２及び第２ドラム７２をチェーンＣＮで連結せずに、第２ドラム７２を第１ドラム６２の駆動源と異なる駆動源により回転させてもよい。
【００８５】
また、本実施形態では、第１ドラム６２及び第２ドラム７２は、駆動源による駆動力で回転するとして説明した。しかしながら、第１ドラム６２及び第２ドラム７２が巻き掛けられる媒体Ｐを滑らせずに加熱することができれば、第１ドラム６２及び第２ドラム７２は搬送される媒体Ｐに従動回転するようにしてもよい。
【００８６】
また、本実施形態では、第１ドラム６２の直径は、第２ドラム７２の直径と異なるとして説明した。しかしながら、第２ドラム７２の複数の溝Ｄ２が第１ドラム６２の複数の溝Ｄ１の位相と異なる位相を有すれば、第１ドラム６２の直径と第２ドラム７２の直径とは同等であってもよい。
【００８７】
また、本実施形態では、第１ドラム６２の複数の溝Ｄ１及び第２ドラム７２の複数の溝Ｄ２は、それぞれ周方向に等間隔で形成されているとして説明した。しかしながら、第２ドラム７２の複数の溝Ｄ２が第１ドラム６２の複数の溝Ｄ１の位相と異なる位相を有すれば、複数の溝Ｄ１及び第２ドラム７２の複数の溝Ｄ２は、それぞれ周方向に異なる間隔で形成されていてもよい。
【００８８】
また、本実施形態では、第１ドラム６２の複数の溝Ｄ１及び第２ドラム７２の複数の溝Ｄ２は、それぞれ軸方向に沿って形成されているとして説明した。しかしながら、第２ドラム７２の複数の溝Ｄ２が第１ドラム６２の複数の溝Ｄ１の位相と異なる位相を有すれば、複数の溝Ｄ１及び第２ドラム７２の複数の溝Ｄ２は、それぞれ軸方向に対して交差する方向に形成されていてもよい。
【００８９】
また、本実施形態では、複数の溝Ｄ１のピッチと複数の溝Ｄ２のピッチとは、異なるとして説明した。しかしながら、第２ドラム７２の複数の溝Ｄ２が第１ドラム６２の複数の溝Ｄ１の位相と異なる位相を有すれば、複数の溝Ｄ１のピッチと複数の溝Ｄ２のピッチは、同等であってもよい（図１３参照）。
【００９０】
また、本実施形態では、ヒーター６４、７４は、それぞれ第１ドラム６２及び第２ドラム７２内に配置されているとして説明した。しかしながら、ヒーター６４、７４がそれぞれ第１ドラム６２、第２ドラム７２を加熱することができれば、ヒーター６４、７４は、それぞれ第１ドラム６２及び第２ドラム７２の外周に対向するように配置されていてもよい。
【００９１】
また、本実施形態では、単色吐出部３０Ｙ、３０Ｍ、３０Ｃ、３０Ｋが吐出するインクは、それぞれのインクの色を発色する顔料を含んで構成されているとして説明した。しかしながら、それぞれの色を発色する機能を有すれば、顔料でなく染料であってもよい。
【００９２】
また、本実施形態では、単色吐出部３０Ｙ、３０Ｍ、３０Ｃ、３０Ｋが吐出するインクは、水を含む溶媒を含んで構成されているとして説明した。しかしながら、溶媒が加熱部４０により加熱されて蒸発すれば、溶媒は揮発性の溶剤であってもよい。
【００９３】
また、本実施形態の画像形成装置１０は、搬送される媒体Ｐにインク像Ｇ１を形成し、更にインク像Ｇ１が形成された媒体Ｐを加熱して、媒体Ｐに画像Ｇ２を形成する、インクジェット方式の装置であるとして説明した。しかしながら、形成部で形成した液体を含む像が形成された媒体Ｐを加熱して媒体Ｐに画像Ｇ２を形成する装置であれば、本発明の技術的範囲に含まれる画像形成装置は、インクジェット方式の装置でなくてもよい。例えば、形成部（感光体、帯電装置、露光装置、液体トナーを現像する現像装置等）により媒体Ｐに液体トナーによるトナー像を形成し、加熱部４０により加熱して媒体Ｐのトナー像が形成された部分の液体トナーから液体を蒸発させて、媒体Ｐに画像Ｇ２を形成する電子写真方式の装置であってもよい。この場合、トナー像は、像の一例である。
【符号の説明】
【００９４】
１０   画像形成装置
３０   吐出部（形成部の一例）
４０   加熱部（加熱装置の一例）
６２   第１ドラム（第１回転体の一例）
７２   第２ドラム（第２回転体の一例）
８０   反転ロール（第３回転体の一例）
Ｄ１   溝（第１溝の一例）
Ｄ２   溝（第２溝の一例）
Ｇ１   インク像（像の一例）
Ｐ     媒体
【図３】
2016173408.tif 000003
【図４】
2016173408.tif 000004
【図５】
2016173408.tif 000005
【図６】
2016173408.tif 000006
【図７】
2016173408.tif 000007
【図９】
2016173408.tif 000008
【図１０】
2016173408.tif 000009
【図１１】
2016173408.tif 000010
【図１２】
2016173408.tif 000011
【図１３】
2016173408.tif 000012
【図１】
2016173408.tif 000013
【図２】
2016173408.tif 000014
【図８】
2016173408.tif 000015